(57)【要約】【課題】  面倒な操作無しに、かつ、再生パフォーマンスを下げることなく、即座に所望の音楽コンテンツからなるプレイリストを構築できる記録媒体再生装置を提供すること。【解決手段】  再生中の音楽コンテンツに対し、仮登録キーを操作することで、その再生中の音楽コンテンツにおける絶対曲番、例えば、絶対曲番３、６、８をＲＡＭ２（メモリ）に記録して仮登録していく。そして、登録キーを操作することにより、ＲＡＭ２に記録された１または複数の絶対曲番に基づいて、ディスクにプレイリストとして記録する。【選択図】        図５
2007012131.tif 000002
【特許請求の範囲】
【請求項１】
記録媒体に記録した複数の音楽コンテンツの中からプレイリストに従って音楽コンテンツが再生可能な記録媒体再生装置であって、
再生中の音楽コンテンツにおける絶対曲番を記録して仮登録する選曲仮登録手段と、
前記選曲仮登録手段で仮登録した絶対曲番に基づいてプレイリストを作成し、該プレイリストを前記記録媒体に記録するプレイリスト登録手段と
を備えたことを特徴とする記録媒体再生装置。
【請求項２】
表示部を備え、
前記記録媒体に既にプレイリストがある場合に、そのプレイリストを前記表示部に表示させると共に、新たな前記プレイリストを、新規プレイリストとして記録するか、既存のプレイリストに記録するかを選択可能に表示させるガイド表示手段を備えていることを特徴とする請求項１記載の記録媒体再生装置。
【請求項３】
再生停止釦を備え、
前記ガイド表示手段は、前記再生停止釦が操作された場合に、前記選曲仮登録手段によって前記絶対曲番が記録されているか否かを判断し、前記絶対曲番が記録されている場合に、かかる絶対曲番に基づいたプレイリストを前記記録媒体に記録するか否かを前記表示部に表示させるタイミングとしたことを特徴とする請求項２記載の記録媒体再生装置。
【請求項４】
前記選曲仮登録手段は、
音楽コンテンツの再生中の仮登録操作を実行させる仮登録キーと、
前記仮登録キーの仮登録操作に基づいて前記絶対曲番を記録させるメモリとを備え、
前記プレイリスト登録手段は、
作成したプレイリストの本登録操作を実行させる登録キーを備えてなることを特徴とする請求項１〜３の何れか１項記載の記録媒体再生装置。
【請求項５】
前記ガイド表示手段は、再生中の音楽コンテンツが仮登録されているか否かを前記表示部に表示させると共に、
前記選曲仮登録手段は、仮登録されている再生中の音楽コンテンツに対し、前記仮登録キーを再操作することによって仮登録を取り消すことを特徴とする請求項４記載の記録媒体再生装置。
【請求項６】
記録媒体に記録した複数の音楽コンテンツの中からプレイリストに従って音楽コンテンツを再生する記録媒体再生方法であって、
再生中の音楽コンテンツにおける絶対曲番を記録して仮登録する選曲仮登録工程と、
前記選曲仮登録工程で仮登録した絶対曲番に基づいてプレイリストを作成し、該プレイリストを前記記録媒体に記録するプレイリスト登録工程と
を備えたことを特徴とする記録媒体再生方法。
【請求項７】
記録媒体に既にプレイリストがある場合に、そのプレイリストを表示部に表示させると共に、新たな前記プレイリストを、新規プレイリストとして記録するか、既存のプレイリストに記録するかを選択可能に表示させるガイド表示工程を備えていることを特徴とする請求項６記載の記録媒体再生方法。
【請求項８】
前記ガイド表示工程は、前記再生停止釦が操作された場合に、前記選曲仮登録工程によって前記絶対曲番が記録されているか否かを判断し、前記絶対曲番が記録されている場合に、かかる絶対曲番に基づいたプレイリストを前記記録媒体に記録するか否かを前記表示部に表示させるタイミングとしたことを特徴とする請求項７記載の記録媒体再生方法。
【請求項９】
前記ガイド表示工程は、再生中の音楽コンテンツが仮登録されているか否かを前記表示部に表示させると共に、
前記選曲仮登録工程は、仮登録されている再生中の音楽コンテンツに対し、仮登録操作を実行させる仮登録キーを再操作することによって仮登録を取り消すことを特徴とする請求項８記載の記録媒体再生方法。
【発明の詳細な説明】
【技術分野】
【０００１】
ＭＤやＨｉ−ＭＤ、ＨＤＤ、フラッシュメモリ等の記録媒体に記録した複数の音楽コンテンツの中から、プレイリストに従って、所望した音楽コンテンツが再生可能な記録媒体再生装置と、記録媒体再生方法に関する。
【背景技術】
【０００２】
昨今の、ＭＤやＨｉ−ＭＤ、ＨＤＤ、フラッシュメモリ等の記録媒体再生装置は、プレイリスト機能を持たせて、所望した音楽コンテンツのみを連続再生できるようになっている。このプレイリスト機能は、複数の音楽コンテンツの絶対曲番を記録し、その情報に基づいて再生させるものである。
【０００３】
従来のプレイリスト機能を有した再生装置は、例えば、プレイリスト登録キーを設け、音楽コンテンツの再生時に、このプレイリスト登録キーを押動操作することにより、プレイリストを更新するようにしたものがある（例えば特許文献１参照）。
【０００４】
【特許文献１】特開２００３−２２６５５公報（第１７頁、図２３）
【発明の開示】
【発明が解決しようとする課題】
【０００５】
上記した先行の再生装置は、ユーザが所望する曲をプレイリストに容易に登録できるものとして好適なものと思料するが、しかしながら、上記した先行の再生装置は、再生している音楽コンテンツ１曲毎に、プレイリストに本登録する技術手段であるため、その都度、メディアである、ＭＤやＨｉ−ＭＤ、ＨＤＤにアクセス（プレイリストを書き込む）する必要が生じてしまい、再生装置のパフォーマンスが下がる可能性があった。
【０００６】
そこで本発明は、このような状況に鑑みてなされたものであり、上記問題点を解決できる記録媒体再生装置及び記録媒体再生方法を提供することを目的とする。
【課題を解決するための手段】
【０００７】
上記技術課題を達成するために、本発明にかかる記録媒体再生装置及び記録媒体再生方法は、下記の技術的手段を講じた。
すなわち、請求項１にかかる記録媒体再生装置は、記録媒体に記録した複数の音楽コンテンツの中からプレイリストに従って音楽コンテンツが再生可能な記録媒体再生装置であって、再生中の音楽コンテンツにおける絶対曲番を記録して仮登録する選曲仮登録手段と、前記選曲仮登録手段で仮登録した絶対曲番に基づいてプレイリストを作成し、該プレイリストを前記記録媒体に記録するプレイリスト登録手段とを備えたことを特徴とする。
請求項２にかかる記録媒体再生装置は、請求項１において、表示部を備え、前記記録媒体に既にプレイリストがある場合に、そのプレイリストを前記表示部に表示させると共に、新たな前記プレイリストを、新規プレイリストとして記録するか、既存のプレイリストに記録するかを選択可能に表示させるガイド表示手段を備えていることを特徴とする。
請求項３にかかる記録媒体再生装置は、請求項２において、再生停止釦を備え、前記ガイド表示手段は、前記再生停止釦が操作された場合に、前記選曲仮登録手段によって前記絶対曲番が記録されているか否かを判断し、前記絶対曲番が記録されている場合に、かかる絶対曲番に基づいたプレイリストを前記記録媒体に記録するか否かを前記表示部に表示させるタイミングとしたことを特徴とする。
請求項４にかかる記録媒体再生装置は、請求項１〜３の何れかにおいて、前記選曲仮登録手段は、音楽コンテンツの再生中の仮登録操作を実行させる仮登録キーと、前記仮登録キーの仮登録操作に基づいて前記絶対曲番を記録させるメモリとを備え、前記プレイリスト登録手段は、作成したプレイリストの本登録操作を実行させる登録キーを備えてなることを特徴とする。
請求項５にかかる記録媒体再生装置は、請求項４において、前記ガイド表示手段は、再生中の音楽コンテンツが仮登録されているか否かを前記表示部に表示させると共に、前記選曲仮登録手段は、仮登録されている再生中の音楽コンテンツに対し、前記仮登録キーを再操作することによって仮登録を取り消すことを特徴とする。
請求項６にかかる記録媒体再生方法は、記録媒体に記録した複数の音楽コンテンツの中からプレイリストに従って音楽コンテンツを再生する記録媒体再生方法であって、再生中の音楽コンテンツにおける絶対曲番を記録して仮登録する選曲仮登録工程と、前記選曲仮登録工程で仮登録した絶対曲番に基づいてプレイリストを作成し、該プレイリストを前記記録媒体に記録するプレイリスト登録工程とを備えたことを特徴とする。
請求項７にかかる記録媒体再生方法は、請求項６において、記録媒体に既にプレイリストがある場合に、そのプレイリストを表示部に表示させると共に、新たな前記プレイリストを、新規プレイリストとして記録するか、既存のプレイリストに記録するかを選択可能に表示させるガイド表示工程を備えていることを特徴とする。
請求項８にかかる記録媒体再生方法は、請求項７において、前記ガイド表示工程は、前記再生停止釦が操作された場合に、前記選曲仮登録工程によって前記絶対曲番が記録されているか否かを判断し、前記絶対曲番が記録されている場合に、かかる絶対曲番に基づいたプレイリストを前記記録媒体に記録するか否かを前記表示部に表示させるタイミングとしたことを特徴とする。
請求項９にかかる記録媒体再生方法は、請求項８において、前記ガイド表示工程は、再生中の音楽コンテンツが仮登録されているか否かを前記表示部に表示させると共に、前記選曲仮登録工程は、仮登録されている再生中の音楽コンテンツに対し、仮登録操作を実行させる仮登録キーを再操作することによって仮登録を取り消すことを特徴とする。
【発明の効果】
【０００８】
本発明によれば、選曲仮登録手段が、再生中の音楽コンテンツにおける絶対曲番をメモリに記録して仮登録し、プレイリスト登録手段が、その仮登録した複数の絶対曲番に基づいて作成したプレイリストを記録媒体に記録（本登録）するから、再生装置のパフォーマンスが下がるおそれもなく、ユーザービリティを向上させることができる。
【発明を実施するための最良の形態】
【０００９】
次に、本発明にかかる記録媒体再生装置の実施の形態を説明する。
本実施の形態にかかる記録媒体再生装置は、ＭＤプレーヤーや、Ｈｉ−ＭＤプレーヤー、ＨＤＤプレーヤー等の、音楽記録可能な磁気ディスクを用いるものに適用されたものが例示されており、図１に示すように、ＲＯＭ１（Read
Only Memory）と、ＲＡＭ２（Random Access Memory）と、制御部３と、表示部４と、入力部５と、ディスク録再部６とを備えて構成されている。
【００１０】
ＲＯＭ１（Read Only Memory）は、データの読み込みが行えるメモリーであり、本実施の形態にかかるプレイリストを実現するための制御プログラムや、録音機能・再生機能を含んだ記録媒体再生装置として実現するための制御プログラム等が格納されている。
【００１１】
このうち、本発明の要部であるプレイリスト機能を実現させる制御プログラムは、選曲仮登録ステップと、プレイリスト登録ステップと、ガイド表示ステップとを備えて構成されている。
【００１２】
選曲仮登録ステップは、再生中の音楽コンテンツにおける絶対曲番を記録して漸次仮登録するもので、具体的には、音楽コンテンツの再生中に、後述する仮登録キーを操作することにより、絶対曲番がＲＡＭ２（メモリ）に漸次記録するようになっている。
【００１３】
また、選曲仮登録ステップは、仮登録キーを操作して該当する絶対曲番がＲＡＭ２（メモリ）に記録した後でも、その絶対曲番の音楽コンテンツが再生している間であれば、再度、仮登録キーを操作することによって、一旦、ＲＡＭ２に記録された絶対曲番を削除して、仮登録を取り消すようになっている。
【００１４】
プレイリスト登録ステップは、選曲仮登録ステップで仮登録した複数の絶対曲番（もちろん１曲だけの場合も有る）に基づいてプレイリストを作成し、該プレイリストを磁気ディスクに記録するもので、具体的には、後述する再生停止釦を操作して再生を中止し、さらに、後述する登録キーを操作することにより、生成されたプレイリストが磁気ディスクに記録されるようになっている
【００１５】
ガイド表示ステップは、本実施の形態にかかるプレイリスト機能の状態を後述する表示部４に表示させるもので、再生中の音楽コンテンツが仮登録されているか否かをマークなどで表示させたり、プレイリストの曲番を表示させたり、さらに、後述する再生停止釦が操作された場合に、選曲仮登録ステップによって、絶対曲番がＲＡＭ２に記録されているか否かを判断し、絶対曲番が記録されている場合に、その絶対曲番をプレイリストとして磁気ディスクに記録するか否かを表示するようになっている。
【００１６】
この磁気ディスクにプレイリストを記録するか否かを表示させるパターンとしては、本実施の形態では、新規プレイリストとして記録するか、既存のプレイリストに（継ぎ足しして）記録するかを選択可能に表示させるようになっている。なお、既存のプレイリストを上書き（前のプレイリストは削除）する機能を持たせた場合、その旨も表示させるようにしても良い。
【００１７】
ＲＡＭ２（Random Access Memory）は、データの読み書きを行えるメモリーであり、上記したように、仮登録された絶対曲番の情報や、磁気ディスクに記録されたＴＯＣ情報等を読み込んで記録させておくようになっている。
【００１８】
制御部３は、アンプ機能を含み、本実施の形態にかかるプレイリストを実現するための制御プログラムや、録音機能・再生機能を含んだ記記録媒体再生装置として実現するための制御プログラムに基づいて、各部を制御させるようになっている。
【００１９】
表示部４は、各種情報が表示される液晶パネルからなる。
入力部５は、再生や録音に関する操作釦や、上記した仮登録キー、登録キー等からなるプレイリストに関する操作釦などからなる。
【００２０】
ディスク録再部６は、磁気ディスクを所定の回転速度で回転させ、ピックアップにて磁気ディスクに記録された音楽情報やＴＯＣ情報などを読み出したり、所定の情報を磁気ディスクに書き込む実行部である。なお、このＴＯＣ情報とは、絶対曲番や曲数、演奏時間、プレイリストなどを管理するデータである。
【００２１】
次に、以上のように構成された本実施の形態にかかる記記録媒体再生装置の一連の処理を、図２〜図４のフローチャートを用いて説明する。
【００２２】
まず、リードイントラックに記録されているＴＯＣ情報を最初に読み出す（図２：Ｓ１）。
【００２３】
次に、磁気ディスクに記録された音楽コンテンツの再生順序の設定をする（Ｓ２）。すなわち、絶対曲番順の標準再生か、ランダム再生か、また、プレイリストがある場合は、プレイリスト再生をするのか否かである。
【００２４】
この音楽コンテンツ再生順序の設定（Ｓ２）の際における一連の処理を図３に示す。
まず、読み出したＴＯＣ情報に当該磁気ディスクはプレイリスト登録が有るか否かを判断する（Ｓ２１）。
【００２５】
プレイリスト登録が有る場合（Ｓ２１：ＹＥＳ）は、プレイリスト再生を行うか標準再生を行うか表示分部に選択表示して入力待機状態にする。複数のプレイリストがある場合は、表示部４にプレイリスト番号を一覧表示して選択できるようにする（Ｓ２２）。
【００２６】
選択釦を操作してプレイリスト再生を選択した場合（Ｓ２２：ＹＥＳ）、当該プレイリストに登録された最初の曲から最後の曲に向かって順に再生する標準再生か、当該プレイリストに登録された曲をランダムに再生するランダム再生かなどのプレイリスト再生の順序設定を選択表示し所望のモードを選択する（Ｓ２３）。
【００２７】
また、プレイリスト登録が無い場合（Ｓ２１：ＮＯ）や、選択釦を操作してプレイリスト再生を選択しない場合（Ｓ２２：ＮＯ）は、磁気ディスクに記録された音楽コンテンツの再生を行うか否かを表示部４に表示して入力待機状態にする（Ｓ２４）。
【００２８】
音楽コンテンツの再生を行う場合（Ｓ２４：ＹＥＳ）は、磁気ディスクに記録された絶対曲番順に再生する標準再生か、当該磁気ディスクに記録された曲をランダムに再生するランダム再生かを選択表示し所望のモードを選択する（Ｓ２５）。
【００２９】
このようにして、再生順序の設定（Ｓ２）が終了したら、再生釦を操作して音楽コンテンツの再生を行う（図２：Ｓ３）。そして、この音楽コンテンツ再生中に、プレイリストの仮登録を行ったり、音楽コンテンツ停止中にプレイリストの本登録をする登録処理を行う（Ｓ４）
【００３０】
このプレイリストへの一連の登録処理手順を図４に示す。
まず、音楽コンテンツ再生中に仮登録キーの操作があるか否かを判断する（Ｓ４１）。仮登録キーの操作があった場合（Ｓ４１：ＹＥＳ）、絶対曲番をＲＡＭ２に記録する（Ｓ４２）。
さらに、同じ絶対曲番の音楽コンテンツ再生中に再度仮登録キーの操作が有るか否かを判断し（Ｓ４３）、仮に、再度仮登録キーの操作が有った場合（Ｓ４３：ＹＥＳ）、仮登録した絶対曲番をＲＡＭ２から削除（Ｓ４４）し、仮登録キーの操作が有るまで入力待機する。
また、仮登録キーの操作がない場合（Ｓ４１：ＮＯ）、仮登録キーの操作が有るまで入力待機する。
【００３１】
また、仮登録キーの操作の有無判断とは別に、再生停止釦の操作が有るか否かを判断する（Ｓ４５）。再生停止釦の操作がなく（Ｓ４５：ＮＯ）、次の音楽コンテンツに移った場合、上記した仮登録の入力待ちとなり、仮登録キーの操作が行われることにより、ＲＡＭ２に絶対曲番が漸次記録されていく。ＲＡＭ２に絶対曲番を記録した状態で再生停止釦の操作があった場合（Ｓ４５：ＹＥＳ）、表示部４にプレイリスト選択画面を表示する（Ｓ４６）。
【００３２】
このプレイリスト選択画面は、既に当該磁気ディスクにプレイリストがある場合は、どのプレイリストＮＯに書き込むか、新規プレイリストとして書き込むか選択表示する。当該磁気ディスクにプレイリストがない場合は、新規プレイリストとして書き込むかを促す。
【００３３】
そして、登録キー操作が行われたか否かを判断する（Ｓ４７）。登録キー操作が行われていない場合（Ｓ４７：ＮＯ）登録キー操作が行われるまで入力待機する。登録キー操作が行われた場合（Ｓ４７：ＹＥＳ）、ＲＡＭ２に記録した１曲または複数曲の絶対曲番からなるリストを、ユーザーが指定した個所へ書き込んでプレイリストの登録処理が終了する（Ｓ４８）。
【００３４】
そして、磁気ディスクが記録媒体再生装置から取り出されたり、記録媒体再生装置が電源ＯＦＦになれば一連の処理が終了（Ｓ５：ＹＥＳ）し、再度再生を行う場合（Ｓ５：ＮＯ）は、再生順序の設定（Ｓ２）を行う。
【００３５】
この上記した記録媒体再生装置の一連の処理を、図５及び図６の模式図を用いて説明すると、仮に、絶対曲番の３，６、８の音楽コンテンツ再生中に仮登録キーを操作した場合、夫々の絶対曲番、３，６、８が漸次ＲＡＭ２に記録される。そして再生停止釦を操作することにより、表示部４にプレイリスト選択画面が表示される。
【００３６】
このとき、当該磁気ディスクにプレイリスト登録が無い場合、図５に示すように、表示部４に“１[新規プレイリスト]”が表示され、登録キーを操作することにより、プレイリスト曲番と絶対局番とを対応づけた対応情報と、先頭曲番と最終曲番の曲番情報とを備えたプレイリストＮｏ１が生成され、磁気ディスクに書き込まれる。
【００３７】
再度、同じ磁気ディスクを再生する場合、ＴＯＣ情報に基づいて、プレイリストＮｏ１の情報が読み込まれる。仮に、絶対曲番の２，８の音楽コンテンツ再生中に仮登録キーを操作した場合、夫々の絶対曲番、２、８が漸次ＲＡＭ２に記録される。そして再生停止釦を操作することにより、表示部４にプレイリスト選択画面が表示される。
【００３８】
このとき、当該磁気ディスクには、プレイリストＮｏ１があることから、図６に示すように、表示部４に“１[新規プレイリスト]”と、“２[プレイリスト１]”が表示される。どちらのプレイリストに書き込むか選択をし、仮に、２[プレイリスト１]を選択したら（例えば方向キーなどを操作して反転表示させる）、登録キーを操作することにより、プレイリスト１更新前の対応情報と、先頭曲番とに基づいて、絶対曲番、２、８が、プレイリスト曲番４、５に継ぎ足すように対応づけられる。また、曲番情報の最終曲番が５に書き換えられ、磁気ディスクに更新されたプレイリスト１が書き込まれる。
【００３９】
このように、本実施の形態にかかる記録媒体再生装置は、所望の音楽コンテンツの絶対曲番を仮登録としてＲＡＭ２に保持させるから、再生を継続させながら、遅延なく所望の曲をプログラム登録する事が可能となる。
【００４０】
以上、本実施の形態にかかる記録媒体再生装置を説明したが、上述した実施の形態は、本発明の好適な実施の形態の一例を示すものであり、本発明はそれに限定されるものではなく、その要旨を逸脱しない範囲内において、種々変形実施が可能である。例えば、上記した一連の手順に従った記録媒体再生方法でも良い。
また、本実施の形態では、音楽記録可能な磁気ディスクを用いる記録媒体再生装置を例示したが、フラッシュメモリを用いたプレーヤー等にも適用可能である。
【図面の簡単な説明】
【００４１】
【図１】本実施の形態にかかる記録媒体再生装置のシステム構成図である。
【図２】一連の処理手順を示したフローチャート１である。
【図３】一連の処理手順を示したフローチャート２である。
【図４】一連の処理手順を示したフローチャート３である。
【図５】一連の処理手順を示した模式図１である。
【図６】一連の処理手順を示した模式図２である。
【符号の説明】
【００４２】
１  ＲＯＭ
２  ＲＡＭ
３  制御部
４  表示部
５  入力部
６  ディスク録再部
【図１】
2007012131.tif 000003
【図２】
2007012131.tif 000004
【図３】
2007012131.tif 000005
【図４】
2007012131.tif 000006
【図５】
2007012131.tif 000007
【図６】
2007012131.tif 000008